(57)【要約】      （修正有）【課題】迅速に開口部を開口又は閉止することができると共に、収納物を確実に収納することができる収納部を有する小物入れを提供する。【解決手段】主収納部と副収納部とを有し、上記副収納部は内部に配置されると共に全体袋状に形成され、一対の板バネが内装され互いに対向して配置される一対の開口端部を有する。【選択図】図３
0003163423.tif 000002
【実用新案登録請求の範囲】
【請求項１】
主収納部と副収納部とを有し、上記副収納部は内部に配置されると共に全体袋状に形成され、一対の板バネが内装され互いに対向して配置される開口端部を有することを特徴とする小物入れ。
【請求項２】
上記主収納部は、札入れ部として形成されていることを特徴とする請求項１記載の小物入れ。
【請求項３】
上記主収納部は、カード入れ部として形成されていることを特徴とする請求項１記載の小物入れ。
【請求項４】
上記副収納部は、底部にマチ部が形成されていることを特徴とする請求項１記載の小物入れ。
【請求項５】
上記開口端部の内方には、閉止時には互いに当接する一対のクッション部が配設されていることを特徴とする請求項１記載の小物入れ。  
【考案の詳細な説明】
【技術分野】
【０００１】
本考案は、小物入れの改良に関する。
【背景技術】
【０００２】
従来より、小銭入れ等の小型の物入れの開口部構造として、開口部に沿って２枚の板バネ材を内装し、２枚の板バネ材を内装する開口端部の長さ方向両端を指で把持して対向方向に押すことにより、開口端部を開口させると共に、指の押圧力を解放することにより、板バネ材の付勢力によって開口部を閉止するように構成された小銭入れ等があった。
【０００３】
しかしながら、このような開口部構造を有する物入れは、平面略方形状の小銭入れ等に限られ、例えば、札入れや、カード入れといった他の物品を収納すると共に、上記の構造を有する小銭入れ等が設けられた小物入れは存在しなかった。
【０００４】
上記のような構造を有する小銭入れ部を有する札入れ、カード入れ等の小物入れがあれば、収納物を区分けし分離して収納できると共に、素早く開口部を開口して迅速に収納できると共に、迅速に開口部を閉止でき、確実に収納することができることから、非常に便利である。
【考案の開示】
【考案が解決しようとする課題】
【０００５】
本考案はこのような従来からの要請に応えるものであって、その課題は、迅速に開口部を開口又は閉止することができると共に、収納物を確実に収納することができる収納部を有する小物入れを提供することにある。
【課題を解決するための手段】
【０００６】
上記課題を解決するため、請求項１記載の考案にあっては、主収納部と副収納部とを有し、上記副収納部は内部に配置されると共に全体袋状に形成され、一対の板バネが内装され互いに対向して配置される一対の開口端部を有することを特徴とする。
【０００７】
従って、請求項１記載の考案にあっては、上記主収納部に収納物を収納することができると共に、上記副収納部に主収納部に収納した以外の収納物を収納することができ、上記一対の開口端部を指で把持して互いに対向方向に押圧することにより、上記一対の板バネを撓ませることにより、互いに対向する一対の開口端部を開放できると共に、上記開口端部の把持による押圧を開放した場合には、上記開口端部を閉止することができる。
【０００８】
請求項２記載の考案にあっては、上記主収納部は、札入れ部として形成されていることを特徴とする。
従って、請求項２記載の考案にあっては、主収納部には札を収納することができると共に、上記副収納部には、例えば、コインを収納することができる。
【０００９】
請求項３記載の考案にあっては、上記主収納部は、カード入れ部として形成されていることを特徴とする。
従って、請求項３記載の考案にあっては、主収納部にはカードを収納することができると共に、上記副収納部には、例えば、コインを収納することができる。
【００１０】
請求項４記載の考案にあっては、上記副収納部は、底部にマチ部が形成されていることを特徴とする。
従って、請求項４記載の考案にあっては、底部にマチ部が形成されていることから、内部に所定量の収納物が収納された場合には厚さ方向に拡張することができる。
【００１１】
請求項５記載の考案にあっては、上記開口端部の内方には、閉止時には互いに当接する一対のクッション部が配設されていることを特徴とする。
従って、請求項５記載の考案にあっては、上記開口端部の閉止時には上記一対のクッション部が互いに当接する。
【考案の効果】
【００１２】
上記課題を解決するため、請求項１記載の考案にあっては、上記主収納部に収納物を収納することができると共に、上記副収納部に主収納部に収納した以外の収納物を収納することができ、上記一対の開口端部を指で把持して互いに対向方向に押圧することにより、上記一対の板バネを撓ませることができ、その結果、互いに対向する一対の開口端部を開放できると共に、上記開口端部の把持による押圧を開放した場合には、上記開口端部を閉止することができることから、容易かつ迅速に開口部を開閉することができると共に、内部に確実に収納物を収納することができる副収納部を有する物入れを提供することができる。
【００１３】
その結果、本考案にあっては、副収納部の開口端部を迅速に閉止することができることから、副収納部へ収納した物、例えば、コイン等を取り出す際に、コイン等が開口端部からこぼれ落ちてしまう事態を有効に防止することができる。
【００１４】
請求項２記載の考案にあっては、上記主収納部は、札入れ部として形成されていることから、板バネを内装した開口端部を有するコイン収納部を備えた札入れを提供することができる。
【００１５】
請求項３記載の考案にあっては、上記主収納部は、カード入れ部として形成されていることを特徴とすることから、板バネを内装した開口端部を有するコイン収納部を備えたカード入れを提供することができる。
【００１６】
請求項４記載の考案にあっては、上記副収納部は、底部にマチ部が形成されていることから、内部に所定量の収納物が収納された場合には厚さ方向に拡張し、マチ部を設けない場合よりもより大量の収納物を収納することができる。
【００１７】
請求項５記載の考案にあっては、上記開口端部の内方には、閉止時には互いに当接する一対のクッション部が配設されていることを特徴とする。
従って、請求項５記載の考案にあっては、上記一対の開口端部の閉止時には上記一対のクッション部が互いに当接するように構成されていることから、閉止時には双方の開口端部が相互に密接することから、開口端部をより確実に閉止することができると共に、閉止時に一対の開口端部が当接する際に発する当接音を低減することができ、より品質の高い物入れを提供することができる。
【図面の簡単な説明】
【００１８】
【図１】本考案に係る小物入れの一実施の形態を示す斜視図である。
【図２】本考案に係る小物入れの一実施の形態を示し、内部の構造を示す斜視図である。
【図３】本考案に係る小物入れの一実施の形態を示し、副収納部を開口した状態を示す斜視図である。
【考案を実施するための最良の形態】
【００１９】
以下、添付図面に示す実施の形態に基づき、本考案を詳細に説明する。
図１及び図２に示すように、本実施の形態に係る小物入れ１０は、カード入れとして形成され、カード入れとしての主収納部１１と、コイン収納部としての副収納部１２とを有している。
【００２０】
本実施の形態に係る小物入れ１０は薄型の財布状に形成され、側面略方形状であって、上端縁部１５及び一側端縁部１６はファスナー１７により閉止及び開放可能に形成されている
即ち、本実施の形態に係る小物入れ１０は、全体皮革製であって、側端縁部１８において縫合固定された外皮材１３、１３と、上記夫々の外皮材１３の内側面部に設けられた複数段のカード収納部１４とを有し、他側端縁部１８の内側部には、副収納部１２が接合されて内部に配設されている。
【００２１】
上記副収納部１２は内部に配置されると共に全体袋状に形成されている。上端部には互いに対向する一対の開口端部２０、２０が設けられ、この開口端部２０、２０には夫々、板バネ材１９、１９が内装され互いに対向して配置されている。また、上記副収納部１２の底部にはマチ部２５が形成されている。
また、上記開口端部２０、２０の内方には、閉止時には互いに当接する一対のクッション部２１、２１が配設されている。上記クッション部２１、２１は、本実施の形態にあってはスポンジ製であって細長長方形状に形成されて貼付固定されている。
【００２２】
以下、本実施の形態に係る小物入れの作用について説明する。
本実施の形態に係る小物入れ１０は、図１に示すように、携帯時には、上記ファスナー１７により外皮材１３、１３は縫合されており、薄型の財布状のものとしてコンパクトに携帯することができる。
【００２３】
カードの出し入れ又はコインの出し入れを行う場合には、図２に示すように、上記ファスナー１７を開放して外皮材１３、１３の開口部を開け、カード２２であれば上記カード収納部１４へ収納する。
また、コインを収納する場合には、コイン収納部としての上記副収納部１２へ収納する。コインを副収納部１２へ収納する場合には、図３に示すように、一対の開口端部２０、２０の長さ方向両端部２３、２３を指で把持して互いに対向方向に押圧することにより、内装された上記一対の板バネ材１９、１９を外方へ撓ませることができ、その結果、互いに対向する一対の開口端部２０、２０を開放できる。
【００２４】
従って、上記開口端部２０、２０により形成された開口部２４からコインの出し入れを行うことができる。
この場合、上記開口端部２０、２０の指の把持による押圧を開放した場合には、上記開口端部２０、２０を閉止することができることから、容易かつ迅速に開口部２４を開閉することができると共に、内部に確実にコインを収納することができる。
また、底部にはマチ部２５が設けられていることから、多くの枚数のコインが収納された場合には底部は幅方向に沿って拡開することから、多くの枚数のコインであっても収納することができる。
【００２５】
また、上記副収納部１２の開口端部２０、２０を迅速に閉止することができるため、副収納部１２へ収納したコインを取り出す際に、コインが開口端部２０、２０からこぼれ落ちてしまう事態を有効に防止することができる。
さらに、本実施の形態にあっては、上記開口端部２０、２０の内方側には、閉止時には互いに当接する一対のクッション部２１、２１が、夫々、配設されている。
【００２６】
従って、上記一対の開口端部２０、２０の閉止時には上記一対のクッション部２１、２１が互いに当接するように構成されていることから、閉止時には双方の開口端部２０、２０が相互に密接し、開口端部２０、２０をより確実に閉止することができると共に、閉止時に一対の開口端部が当接する際に発する当接音を低減することができ、より品質の高い物入れを提供することができる。
【符号の説明】
【００２７】
１０  小物入れ
１１  主収納部
１２  副収納部
１３  外皮材
１４  カード収納部
１５  上端縁部
１６  一側端縁部
１７  ファスナー
１８  他側端縁部
１９  板バネ
２０  開口端部
２１  クッション部
２２  カード
２３  長さ方向両端部
２４  開口部
２５  マチ部
【図１】
0003163423.tif 000003
【図２】
0003163423.tif 000004
【図３】
0003163423.tif 000005